(57)【要約】【課題】Ｗｉ−Ｆｉネットワークを利用したデバイス連結システム及びその方法 を提供する。【解決手段】Ｗｉ−Ｆｉネットワークを利用したデバイス連結システム及びその方法に係り、デバイスが、Ｗｉ−Ｆｉネットワークを利用して、外部デバイスをアクセスポイントに通信連結する方法は、ＡＰモードで動作する外部デバイスから、外部デバイスの機器情報を受信する段階と、機器情報を利用して、ＡＰモードで動作する外部デバイスに接続する段階と、接続された外部デバイスに、アクセスポイントに係わる連結情報を提供する段階と、を含み、該外部デバイスに、連結情報が提供されることにより、外部デバイスのＡＰモードが終了し、連結情報に基づいて、外部デバイスが、アクセスポイントに接続される。【選択図】図１
2014093781.tif 000002
【特許請求の範囲】
【請求項１】
デバイスが、Ｗｉ−Ｆｉ（wireless fidelity）ネットワークを利用して、外部デバイスをアクセスポイントに通信連結する方法において、
ＡＰ（access point）モードで動作する外部デバイスから、前記外部デバイスの機器情報を受信する段階と、
前記機器情報を利用して、前記ＡＰモードで動作する前記外部デバイスに接続する段階と、
前記接続された外部デバイスに、前記アクセスポイントに係わる連結情報を提供する段階と、を含み、
前記外部デバイスに、前記連結情報が提供されることにより、前記外部デバイスの前記ＡＰモードが終了し、前記連結情報に基づいて、前記外部デバイスが、前記アクセスポイントに接続される通信連結方法。
【請求項２】
前記機器情報が受信されることにより、前記アクセスポイントとの接続を中断する段階と、
前記連結情報が、前記外部デバイスに提供されることにより、前記アクセスポイントに再接続する段階と、をさらに含むことを特徴とする請求項１に記載の通信連結方法。
【請求項３】
前記外部デバイスの機器情報は、前記外部デバイスから既設定の信号強度でブロードキャスティングされることを特徴とする請求項１に記載の通信連結方法。
【請求項４】
前記外部デバイスの機器情報は、前記外部デバイスのＳＳＩＤ（service set identifier）及びＭＡＣ（media access control）情報を含むことを特徴とする請求項１に記載の通信連結方法。
【請求項５】
前記外部デバイスから暗証番号情報を受信する段階をさらに含み、
前記アクセスポイントに係わる連結情報を提供する段階は、前記暗証番号情報に含まれた暗証番号と同一の暗証番号が、前記デバイスに入力されることにより、前記連結情報を、前記外部デバイスに提供することを特徴とする請求項１に記載の通信連結方法。
【請求項６】
前記受信された暗証番号情報に含まれた暗証番号は、前記外部デバイスの画面に表示され、
前記画面に表示された暗証番号は、前記デバイスのユーザが、前記デバイスに暗証番号を入力するのに利用されることを特徴とする請求項５に記載の通信連結方法。
【請求項７】
前記受信された暗証番号情報に含まれた暗証番号は、前記外部デバイスのリモコンの画面に表示され、
前記画面に表示された暗証番号は、前記デバイスのユーザが、前記デバイスに暗証番号を入力するのに利用されることを特徴とする請求項５に記載の通信連結方法。
【請求項８】
前記暗証番号情報は、前記暗証番号情報に含まれた暗証番号を確認するための方法と係わる案内情報を含み、前記デバイスの画面に前記案内情報が表示され、前記表示された案内情報は、前記デバイスのユーザが、前記デバイスに暗証番号を入力するのに利用されることを特徴とする請求項５に記載の通信連結方法。
【請求項９】
前記受信された暗証番号情報に含まれた暗証番号は、前記外部デバイスのモデル名であり、前記外部デバイスの外観に表示され、
前記表示された前記モデル名は、前記デバイスのユーザが、前記デバイスに暗証番号を入力するのに利用されることを特徴とする請求項５に記載の通信連結方法。
【請求項１０】
前記外部デバイスに接続する段階は、
アドホック・ネットワークを介して、前記外部デバイスに接続することを特徴とする請求項１に記載の通信連結方法。
【請求項１１】
外部デバイスがＷｉ−Ｆｉ（wireless fidelity）ネットワークを利用して、アクセスポイントに通信連結する方法において、
ネットワーキング・モードをＡＰ（access point）モードに変更する段階と、
前記外部デバイスの機器情報をデバイスに提供する段階と、
前記機器情報に基づいた前記デバイスの接続要請に応答し、前記デバイスと接続する段階と、
前記接続されたデバイスから、前記アクセスポイントに係わる連結情報を受信する段階と、
前記連結情報が受信されることにより、前記ＡＰモードを終了する段階と、
前記受信された連結情報に基づいて、前記アクセスポイントに接続する段階と、を含む通信連結方法。
【請求項１２】
前記機器情報が、前記デバイスに提供されることにより、前記デバイス及び前記アクセスポイントの接続が中断され、
前記連結情報が前記デバイスから受信されることにより、前記デバイス及び前記アクセスポイントが再接続されることを特徴とする請求項１１に記載の通信連結方法。
【請求項１３】
前記機器情報を提供する段階は、既設定の信号強度で、前記機器情報をブロードキャスティングすることを特徴とする請求項１１に記載の通信連結方法。
【請求項１４】
前記外部デバイスの機器情報は、前記外部デバイスのＳＳＩＤ（service set identifier）及びＭＡＣ（media access control）情報を含むことを特徴とする請求項１１に記載の通信連結方法。
【請求項１５】
前記デバイスに暗証番号情報を提供する段階をさらに含み、
前記暗証番号情報に含まれた暗証番号と同一の暗証番号が、前記デバイスに入力されることにより、前記連結情報が前記デバイスから提供されることを特徴とする請求項１１に記載の通信連結方法。
【請求項１６】
前記暗証番号情報に含まれた暗証番号を、前記外部デバイスの画面に表示する段階をさらに含み、
前記表示された暗証番号は、前記デバイスのユーザが、前記デバイスに暗証番号を入力するのに利用されることを特徴とする請求項１５に記載の通信連結方法。
【請求項１７】
前記暗証番号情報に含まれた暗証番号は、前記外部デバイスのリモコンの画面に表示され、
前記画面に表示された暗証番号は、前記デバイスのユーザが、前記デバイスに暗証番号を入力するのに利用されることを特徴とする請求項１５に記載の通信連結方法。
【請求項１８】
前記暗証番号情報は、前記暗証番号情報に含まれた暗証番号を確認するための方法と係わる案内情報を含み、前記デバイスの画面に前記案内情報が表示され、前記表示された案内情報は、前記デバイスのユーザが、前記デバイスに暗証番号を入力するのに利用されることを特徴とする請求項１５に記載の通信連結方法。
【請求項１９】
前記受信された暗証番号情報に含まれた暗証番号は、前記外部デバイスのモデル名であり、前記外部デバイスの外観に表示され、
前記表示された前記モデル名は、前記デバイスのユーザが、前記デバイスに暗証番号を入力するのに利用されることを特徴とする請求項１５に記載の通信連結方法。
【請求項２０】
前記デバイスと接続する段階は、
アドホック・ネットワークを介して、前記デバイスと接続することを特徴とする請求項１１に記載の通信連結方法。
【請求項２１】
Ｗｉ−Ｆｉ（wireless fidelity）ネットワークを利用して、外部デバイスをアクセスポイントに通信連結するデバイスにおいて、
ＡＰ（access point）モードで動作する外部デバイスから、前記外部デバイスの機器情報を獲得する情報獲得部と、
前記機器情報を利用して、前記ＡＰモードで動作する前記外部デバイスに接続する接続部と、
前記接続された外部デバイスに、前記アクセスポイントに係わる連結情報を提供する連結情報提供部と、を含み、
前記外部デバイスに、前記連結情報が提供されることにより、前記外部デバイスの前記ＡＰモードが終了し、前記連結情報に基づいて、前記外部デバイスが、前記アクセスポイントに接続されるデバイス。
【請求項２２】
Ｗｉ−Ｆｉ（wireless fidelity）ネットワークを利用して、アクセスポイントに通信連結する外部デバイスにおいて、
前記外部デバイスの機器情報をデバイスに提供する情報提供部と、
前記機器情報に基づいた前記デバイスの接続要請に応答し、前記デバイスと接続し、前記接続されたデバイスから、前記アクセスポイントに係わる連結情報を受信し、前記受信された連結情報に基づいて、前記アクセスポイントに接続する接続部と、を含み、
前記接続部は、前記外部デバイスのネットワーキング・モードをＡＰ（access point）モードに変更した後、前記機器情報を前記デバイスに提供し、
前記接続部は、前記連結情報が受信されることにより、前記ＡＰモードを終了し、前記アクセスポイントに接続する外部デバイス。
【請求項２３】
請求項１ないし１０のうち、いずれか１項に記載の方法をコンピュータで実行させるためのプログラムを記録したコンピュータで読み取り可能な記録媒体。
【請求項２４】
請求項１１ないし２０のうち、いずれか１項に記載の方法をコンピュータで実行させるためのプログラムを記録したコンピュータで読み取り可能な記録媒体。
【発明の詳細な説明】
【技術分野】
【０００１】
本発明は、Ｗｉ−Ｆｉ（wireless fidelity）ネットワークにおいて、デバイス及び外部デバイスをアクセスポイントを介して連結するデバイスシステム及びその方法に関する。
【背景技術】
【０００２】
最近になって、デバイス間に形成されたネットワークを介して、デバイスに多様な種類のコンバージェンス・サービスが提供されている。しかし、デバイス間のネットワークを設定する過程が複雑であり、デバイスごとに設定方法がそれぞれ異なり、ネットワークの種類も多様であるので、ユーザがデバイス間にネットワークを手軽に設定し難いという問題がある。最近、ＮＦＣ（near field communication）技術を利用して、デバイス間のネットワークを設定する技術が開発されているが、デバイスごとにＮＦＣ readerが装着されていなければならないので、ＮＦＣ readerのないデバイスに適用され難く、デバイスの製造コストを引き上げてしまうという問題点がある。従って、多種のデバイスによって共通して利用されるＷｉ−Ｆｉネットワークを介して、デバイス間にネットワークをさらに容易に形成することができる技術が要求されている。
【発明の概要】
【発明が解決しようとする課題】
【０００３】
本発明が解決しようとする課題は、外部デバイスを、Ｗｉ−Ｆｉネットワークのアクセスポイント（ＡＰ）に連結させることができる、Ｗｉ−Ｆｉネットワークを利用したデバイス連結システム及びその方法を提供することである。
【０００４】
本発明が解決しようとする課題はまた、Ｗｉ−Ｆｉネットワークのアクセスポイントと連結されたデバイスが、外部デバイスをＷｉ−Ｆｉネットワークに参与させることができる、Ｗｉ−Ｆｉネットワークを利用したデバイス連結システム及びその方法を提供することである。
【課題を解決するための手段】
【０００５】
前述の技術的課題を解決するための技術的手段として、本発明の第１側面は、ＡＰ（access point）モードで動作する外部デバイスから、前記外部デバイスの機器情報を受信する段階と、前記機器情報を利用して、前記ＡＰモードで動作する前記外部デバイスに接続する段階と、前記接続された外部デバイスに、前記アクセスポイントに係わる連結情報を提供する段階と、を含み、前記外部デバイスに、前記連結情報が提供されることにより、前記外部デバイスの前記ＡＰモードが終了し、前記連結情報に基づいて、前記外部デバイスが、前記アクセスポイントに接続される、デバイスが、Ｗｉ−Ｆｉネットワークを利用して、外部デバイスをアクセスポイントに通信連結する方法を提供することができる。
【０００６】
また、前記方法は、前記機器情報が受信されることにより、前記アクセスポイントとの接続を中断する段階と、前記連結情報が、前記外部デバイスに提供されることにより、前記アクセスポイントに再接続する段階と、をさらに含んでもよい。
また、前記外部デバイスの機器情報は、前記外部デバイスから既設定の信号強度でブロードキャスティングされもする。
【０００７】
また、前記外部デバイスの機器情報は、前記外部デバイスのＳＳＩＤ（service set identifier）及びＭＡＣ（media access control）情報を含んでもよい。
【０００８】
また、前記方法は、前記外部デバイスから暗証番号（password）情報を受信する段階をさらに含み、前記アクセスポイントに係わる連結情報を提供する段階は、前記暗証番号情報に含まれた暗証番号と同一の暗証番号が、前記デバイスに入力されることにより、前記連結情報を、前記外部デバイスに提供することができる。
【０００９】
また、前記受信された暗証番号情報に含まれた暗証番号は、前記外部デバイスの画面に表示され、前記画面に表示された暗証番号は、前記デバイスのユーザが、前記デバイスに暗証番号を入力するのに利用されもする。
【００１０】
また、前記受信された暗証番号情報に含まれた暗証番号は、前記外部デバイスのリモコン（remote controller）の画面に表示され、前記画面に表示された暗証番号は、前記デバイスのユーザが、前記デバイスに暗証番号を入力するのに利用されもする。
【００１１】
また、前記暗証番号情報は、前記暗証番号情報に含まれた暗証番号を確認するための方法と係わる案内情報を含み、前記デバイスの画面に前記案内情報が表示され、前記表示された案内情報は、前記デバイスのユーザが、前記デバイスに暗証番号を入力するのに利用されもする。
【００１２】
また、前記受信された暗証番号情報に含まれた暗証番号は、前記外部デバイスのモデル名であり、前記外部デバイスの外観に表示され、前記表示された前記モデル名は、前記デバイスのユーザが、前記デバイスに暗証番号を入力するのに利用されもする。
また、前記外部デバイスに接続する段階は、アドホック・ネットワークを介して、前記外部デバイスに接続することができる。
【００１３】
前述の技術的課題を解決するための技術的手段として、本発明の第２側面は、ネットワーキング・モードをＡＰモードに変更する段階と、前記外部デバイスの機器情報をデバイスに提供する段階と、前記機器情報に基づいた前記デバイスの接続要請に応答し、前記デバイスと接続する段階と、前記接続されたデバイスから、前記アクセスポイントに係わる連結情報を受信する段階と、前記連結情報が受信されることにより、前記ＡＰモードを終了する段階と、前記受信された連結情報に基づいて、前記アクセスポイントに接続する段階と、を含む、外部デバイスがＷｉ−Ｆｉネットワークを利用して、アクセスポイントに通信連結する方法を提供することができる。
【００１４】
また、前記機器情報が、前記デバイスに提供されることにより、前記デバイス及び前記アクセスポイントの接続が中断され、前記連結情報が前記デバイスから受信されることにより、前記デバイス及び前記アクセスポイントが再接続されもする。
また、前記機器情報を提供する段階は、既設定の信号強度で、前記機器情報をブロードキャスティングすることができる。
また、前記外部デバイスの機器情報は、前記外部デバイスのＳＳＩＤ及びＭＡＣ情報を含んでもよい。
【００１５】
また、前記方法は、前記デバイスに暗証番号情報を提供する段階をさらに含み、前記暗証番号情報に含まれた暗証番号と同一の暗証番号が、前記デバイスに入力されることにより、前記連結情報が前記デバイスから提供されもする。
【００１６】
また、前記方法は、前記暗証番号情報に含まれた暗証番号を、前記外部デバイスの画面に表示する段階をさらに含み、前記表示された暗証番号は、前記デバイスのユーザが、前記デバイスに暗証番号を入力するのに利用されもする。
【００１７】
また、前記暗証番号情報に含まれた暗証番号は、前記外部デバイスのリモコンの画面に表示され、前記画面に表示された暗証番号は、前記デバイスのユーザが、前記デバイスに暗証番号を入力するのに利用されもする。
【００１８】
また、前記暗証番号情報は、前記暗証番号情報に含まれた暗証番号を確認するための方法と係わる案内情報を含み、前記デバイスの画面に前記案内情報が表示され、前記表示された案内情報は、前記デバイスのユーザが、前記デバイスに暗証番号を入力するのに利用されもする。
【００１９】
また、前記受信された暗証番号情報に含まれた暗証番号は、前記外部デバイスのモデル名であり、前記外部デバイスの外観に表示され、前記表示された前記モデル名は、前記デバイスのユーザが、前記デバイスに暗証番号を入力するのに利用されもする。
また、前記デバイスと接続する段階は、アドホック・ネットワークを介して、前記デバイスと接続することができる。
【００２０】
前述の技術的課題を解決するための技術的手段として、本発明の第３側面は、ＡＰモードで動作する外部デバイスから、前記外部デバイスの機器情報を獲得する情報獲得部と、前記機器情報を利用して、前記ＡＰモードで動作する前記外部デバイスに接続する接続部と、前記接続された外部デバイスに、前記アクセスポイントに係わる連結情報を提供する連結情報提供部と、を含み、前記外部デバイスに、前記連結情報が提供されることにより、前記外部デバイスの前記ＡＰモードが終了し、前記連結情報に基づいて、前記外部デバイスが、前記アクセスポイントに接続される、Ｗｉ−Ｆｉネットワークを利用して、外部デバイスをアクセスポイントに通信連結するデバイスを提供することができる。
【００２１】
前述の技術的課題を解決するための技術的手段として、本発明の第４側面は、前記外部デバイスの機器情報をデバイスに提供する情報提供部と、前記機器情報に基づいた前記デバイスの接続要請に応答し、前記デバイスと接続し、前記接続されたデバイスから、前記アクセスポイントに係わる連結情報を受信し、前記受信された連結情報に基づいて、前記アクセスポイントに接続する接続部と、を含み、前記接続部は、前記外部デバイスのネットワーキング・モードをＡＰモードに変更した後、前記機器情報を前記デバイスに提供し、前記接続部は、前記連結情報が受信されることにより、前記ＡＰモードを終了し、前記アクセスポイントに接続する、Ｗｉ−Ｆｉネットワークを利用して、アクセスポイントに通信連結する外部デバイスを提供することができる。
【００２２】
前述の技術的課題を解決するための技術的手段として、本発明の第５側面は、前記第１側面の方法をコンピュータで実行させるためのプログラムを記録したコンピュータで読み取り可能な記録媒体を提供することができる。
【００２３】
前述の技術的課題を解決するための技術的手段として、本発明の第６側面は、前記第２側面の方法をコンピュータで実行させるためのプログラムを記録したコンピュータで読み取り可能な記録媒体を提供することができる。
【図面の簡単な説明】
【００２４】
【図１】本発明の一実施形態による、Ｗｉ−Ｆｉネットワークを利用した通信連結システムの概要図である。
【図２】本発明の一実施形態による、Ｗｉ−Ｆｉネットワークを利用した通信連結方法のフローチャートである。
【図３】本発明の一実施形態による、通信連結のための案内情報が外部デバイスの画面に表示され、デバイスに所定の暗証番号が入力される一例を図示した図面である。
【図４】本発明の他の実施形態による、通信連結のための案内情報が外部デバイスの画面に表示され、デバイスに所定の暗証番号が入力される一例を図示した図面である。
【図５】本発明の他の実施形態による、暗証番号を外部デバイスの画面に表示するための案内情報がデバイスの画面に表示され、デバイスに所定の暗証番号が入力される一例を図示した図面である。
【図６】本発明の他の実施形態による、暗証番号確認するための案内情報がデバイスの画面に表示され、デバイスに所定の暗証番号が入力される一例を図示した図面である。
【図７】本発明の他の実施形態による、Ｗｉ−Ｆｉネットワークを利用した通信連結方法のフローチャートである。
【図８】本発明の他の実施形態による、外部デバイスのリモコンの画面に暗証番号が表示され、デバイスに暗証番号が入力される一例を図示した図面である。
【図９】本発明の一実施形態によるデバイスのブロック図である。
【図１０】本発明の他の実施形態によるデバイスのブロック図である。
【図１１】本発明の一実施形態による外部デバイスのブロック図である。
【発明を実施するための形態】
【００２５】
以下、添付した図面を参照し、本発明が属する技術分野で当業者が容易に実施することができるように、本発明の実施形態について詳細に説明する。しかし、本発明は、さまざまに異なる形態で具現され、ここで説明する実施形態に限定されるものではない。図面で、本発明を明確に説明するために、説明と関係ない部分は省略し、明細書全体を通じて類似した部分については、類似した図面符号を付した。
【００２６】
明細書全体で、ある部分が他の部分と、「連結」されているとするとき、それは、「直接に連結」されている場合だけではなく、その中間に、他の素子を挟んで「電気的に連結」されている場合も含む。また、ある部分がある構成要素を「含む」というとき、それは、特別に反対となる記載がない限り、他の構成要素を除くものではなく、他の構成要素をさらに含んでもよいということを意味する。
以下、添付された図面を参照し、本発明について詳細に説明する。
図１は、本発明の一実施形態による、Ｗｉ−Ｆｉ（wireless fidelity）ネットワークを利用した通信連結システムの概要図である。
【００２７】
図１に図示されているように、本発明の一実施形態による、Ｗｉ−Ｆｉネットワークを利用した通信連結システムは、デバイス１０００、外部デバイス２０００、アクセスポイント３０００及びリモコン（remote controller）４０００を含んでもよい。
【００２８】
デバイス１０００は、Ｗｉ−Ｆｉネットワーク環境で、アクセスポイント３０００と接続することができ、アクセスポイント３０００に接続するための連結情報を、外部デバイス２０００に提供することができる。連結情報は、Ｗｉ−Ｆｉネットワークを介して、アクセスポイント３０００に接続するための情報であり、例えば、アクセスポイント３０００のＳＳＩＤ（service set identifier）、ＭＡＣ（media access control）アドレス、及びアクセスポイント３０００に接続するための暗証番号（password）を含んでもよいが、それらに制限されるものではない。具体的には、アクセスポイント３０００と接続中であるデバイス１０００は、アクセスポイント３０００との接続を中断し、外部デバイス２０００に接続することができ、外部デバイス２０００に、アクセスポイント３０００に係わる連結情報を提供することができる。その後、デバイス１０００は、外部デバイス２０００との接続を終了し、アクセスポイント３０００に再接続することができる。
【００２９】
外部デバイス２０００は、デバイス１０００から受信されたアクセスポイント３０００に係わる連結情報を利用して、アクセスポイント３０００に接続することにより、アクセスポイント３０００を介して、デバイス１０００と通信を行うことができる。外部デバイス２０００は、デバイス１０００と接続するために、クライアント・モードからＡＰ（access point）モードに、ネットワーキング・モードを変更することができ、デバイス１０００に、外部デバイス２０００の機器情報を提供することができる。Ｗｉ−Ｆｉネットワークのネットワーキング・モードは、アクセスポイントとして動作するＡＰモード、及びクライアントとして動作するクライアント・モードを含んでもよいが、それらに制限されるものではない。また、デバイス１０００が機器情報を利用して、外部デバイス２０００に接続すれば、外部デバイス２０００は、デバイス１０００からアクセスポイント３０００に係わる連結情報を受信し、受信された連結情報を利用して、アクセスポイント３０００に接続することができる。
【００３０】
また、デバイス１０００が外部デバイス２０００に接続するために、所定の暗証番号が利用され、外部デバイス２０００に接続するための暗証番号に係わる暗証番号情報は、外部デバイス２０００のリモコン４０００、または他のリモコンに表示されもする。暗証番号情報は、例えば、暗証番号値、及び暗証番号値を確認するための案内情報を含んでもよいが、それらに制限されるものではない。
図２は、本発明の一実施形態による、Ｗｉ−Ｆｉネットワークを利用した通信連結方法のフローチャートである。
【００３１】
段階Ｓ２００で、外部デバイス２０００は、ネットワーキング・モードをＡＰモードに変更する。ネットワーキング・モードは、Ｗｉ−Ｆｉネットワーク環境で、アクセスポイントとして動作するためのＡＰモード、及びクライアントとして動作するためのクライアント・モードを含んでもよい。外部デバイス２０００は、デバイス１０００と接続するために、ネットワーキング・モードをクライアント・モードからＡＰモードに変更することができる。
【００３２】
段階Ｓ２０２で、外部デバイス２０００は、外部デバイス２０００の機器情報をデバイス１０００に伝送する。外部デバイス２０００は、例えば、外部デバイス２０００のＳＳＩＤ、ＭＡＣアドレス、デバイス種類に係わる情報を、デバイス１０００に既設定の信号強度でブロードキャスティングすることができる。また、外部デバイス２０００は、ＶＳＩＥ（ＩＥＥＥ ８０２．１１のvendor specific information element）を介して、機器情報をデバイス１０００に伝送することができる。
【００３３】
また、外部デバイス２０００は、機器情報をデバイス１０００に伝送し、デバイス１０００からの連結情報の受信を、既設定の時間待機することができる。既設定の時間以内に、デバイス１０００から連結情報が受信されれば、外部デバイス２０００は、アクセスポイント３０００と、接続を試みることができる。また、既設定の時間以内にデバイス１０００から連結情報が受信されず、外部デバイス２０００は、ＡＰモードを終了し、連結情報が受信されていないということを知らせるお知らせ情報を出力することができるが、それに制限されるものではない。
【００３４】
また、外部デバイス２０００は、機器情報を伝送しながら、アクセスポイント３０００との接続のために必要な情報を、デバイス１０００に要請することができる。
【００３５】
段階Ｓ２０４で、外部デバイス２０００は、ＡＰモードで動作する外部デバイス２０００に接続するための暗証番号に係わる暗証番号情報を、デバイス１０００に伝送する。外部デバイス２０００は、デバイス１０００との接続のための暗証番号に係わる暗証番号情報を、デバイス１０００にブロードキャスティングすることができる。暗証番号情報は、例えば、暗証番号値、及び暗証番号値を確認するための案内情報を含んでもよいが、それに制限されるものではない。また、暗証番号値を確認するための案内情報は、外部デバイス２０００、または外部デバイス２０００のリモコン４０００に、暗証番号値を表示させるための案内情報、及び外部デバイス２０００の外観に表示された所定の文字が暗証番号であるということを知らせるための案内情報を含んでもよいが、それに制限されるものではない。暗証番号値を確認するための案内情報は、例えば、リモコン４０００に含まれた所定のボタンが押されれば、外部デバイス２０００に暗証番号が表示されることを知らせる案内情報、及び外部デバイス２０００のモデル名に含まれた所定の数字が、暗証番号であるということを知らせる案内情報を含んでもよい。
【００３６】
段階Ｓ２０６で、デバイス１０００は、暗証番号を入力するユーザ入力を受信する。デバイス１０００は、ユーザから入力された暗証番号を、外部デバイス２０００から受信された暗証番号と比較することにより、外部デバイス２０００に接続するか否かを決定することができる。しかし、それに制限されるものではなく、デバイス１０００は、入力された暗証番号を外部デバイス２０００に提供し、外部デバイス２０００がデバイス１０００との接続を許容するか否かを決定するようにすることもできる。
【００３７】
一方、外部デバイス２０００との接続のための暗証番号は、外部デバイス２０００の画面に表示され、ユーザは、外部デバイス２０００の画面に表示された暗証番号をデバイス１０００に入力することができる。その場合、外部デバイス２０００の画面に暗証番号を表示するための方法に係わる案内情報が、デバイス１０００の画面に表示されもする。例えば、外部デバイス２０００のリモコン４０００の所定のボタンが押されれば、外部デバイス２０００に暗証番号が表示されるという案内情報がデバイス１０００に表示される。
【００３８】
また、外部デバイス２０００との接続のための暗証番号は、外部デバイス２０００の製造時、外部デバイス２０００の外観に表示されもする。その場合、外部デバイス２０００の外観に表示された暗証番号を確認するための案内情報が、デバイス１０００に表示される。
【００３９】
段階Ｓ２０８で、デバイス１０００は、アクセスポイント３０００に係わる連結情報を保存する。アクセスポイント３０００に係わる連結情報は、Ｗｉ−Ｆｉネットワーク上で、アクセスポイント３０００に接続するために必要な各種の情報を含んでもよい。連結情報は、例えば、アクセスポイント３０００のＳＳＩＤ、アクセスポイント３０００に接続するための暗証番号を含んでもよいが、それらに制限されるものではない。
【００４０】
段階Ｓ２１０で、デバイス１０００は、アクセスポイント３０００との接続を中断する。デバイス１０００は、外部デバイス２０００から機器情報が受信されることにより、アクセスポイント３０００との接続を中断することができる。デバイス１０００は、ユーザから入力された暗証番号が、外部デバイス２０００から受信された暗証番号と一致すれば、アクセスポイント３０００との接続を中断することができるが、それに制限されるものではない。
【００４１】
段階Ｓ２１２で、デバイス１０００は、外部デバイス２０００に接続する。デバイス１０００は、外部デバイス２０００から受信された機器情報に基づいて、外部デバイス２０００に接続することができる。デバイス１０００は、外部デバイス２０００のＳＳＩＤ及びＭＡＣアドレスに基づいて、ＡＰモードで動作する外部デバイス２０００に接続することができ、外部デバイス２０００に接続するために、段階Ｓ２０６で入力された暗証番号を、外部デバイス２０００に伝送することができる。しかし、それに制限されるものではない。
【００４２】
段階Ｓ２１４で、デバイス１０００は、外部デバイス２０００に連結情報を提供する。デバイス１０００は、外部デバイス２０００に接続した後、段階Ｓ２０８で保存された連結情報を、外部デバイス２０００に提供することができる。外部デバイス２０００は、デバイス１０００が外部デバイス２０００に接続されれば、デバイス１０００にアクセスポイント３０００に係わる連結情報を要請することができ、デバイス１０００は、外部デバイス２０００からの要請に応答し、段階Ｓ２０８で保存された連結情報を、外部デバイス２０００に伝送することができる。
【００４３】
段階Ｓ２１６で、外部デバイス２０００は、ＡＰモードを終了する。外部デバイス２０００は、デバイス１０００から連結情報が受信されれば、ＡＰモードを終了し、ネットワーキング・モードをクライアント・モードに変更することができる。
【００４４】
段階Ｓ２１８で、外部デバイス２０００は、アクセスポイント３０００に接続する。外部デバイス２０００は、受信された連結情報に基づいて、アクセスポイント３０００に接続することができる。外部デバイス２０００は、受信された連結情報に含まれたアクセスポイント３０００のＳＳＩＤを利用して、アクセスポイント３０００に接続を要請することができ、受信された連結情報に含まれた暗証番号を、アクセスポイントに提供することができる。
【００４５】
段階Ｓ２２０で、デバイス１０００は、外部デバイス２０００との接続を終了する。デバイス１０００は、外部デバイス２０００に連結情報を伝送した後、外部デバイス２０００との接続を終了することができる。デバイス１０００は、外部デバイス２０００から、外部デバイス２０００がアクセスポイントに接続されたことを知らせるお知らせ情報を受信し、外部デバイス２０００がアクセスポイントに接続されたことを確認した後、外部デバイス２０００との接続を終了することができる。しかし、それに制限されるものではない。
【００４６】
段階Ｓ２２２で、デバイス１０００は、アクセスポイント３０００に再接続する。デバイス１０００は、段階Ｓ２０８で保存された連結情報に基づいて、アクセスポイント３０００に再接続することができる。
【００４７】
それを介して、デバイス１０００及び外部デバイス２０００は、アクセスポイント３０００を介して、互いに通信連結され、デバイス１０００は、ユーザ入力に基づいて、外部デバイス２０００を制御したり、あるいは外部デバイス２０００と各種データを送受信することができる。
【００４８】
図３は、本発明の一実施形態による、通信連結のための案内情報が外部デバイス２０００の画面に表示され、デバイス１０００に所定の暗証番号が入力される一例を図示した図面である。
【００４９】
図３を参照すれば、外部デバイス２０００は、スマートＴＶ（television）でもあり、デバイス１０００は、スマートフォンでもある。外部デバイス２０００は、アクセスポイント３０００を介してデバイス１０００と連結されるために、外部デバイス２０００の画面に、デバイス１０００との連結のための案内情報をディスプレイすることができる。外部デバイス２０００の画面には、例えば、ネットワーク連結のための暗証番号、及び暗証番号を確認して入力するための方法に係わる案内情報が表示されもする。
【００５０】
また、デバイス１０００は、外部デバイス２０００から機器情報を含むネットワーク連結要請を受信した後、ネットワーク連結のためのユーザ入力を受信するためのボタン３０をデバイス１０００の画面に表示することができる。
【００５１】
また、ボタン３０が選択されれば、デバイス１０００は、暗証番号入力のためのユーザ・インターフェース３２を画面に表示することができ、ユーザによって、正しい暗証番号が入力されれば、デバイス１０００及び外部デバイス２０００は、アクセスポイント３０００を介して、互いに連結される。
その後、デバイス１０００は、外部デバイス２０００との通信連結をデバイス１０００の画面に表示することができる。
【００５２】
図４は、本発明の他の実施形態による、通信連結のための案内情報が外部デバイス２０００の画面に表示され、デバイス１０００に所定の暗証番号が入力される一例を図示した図面である。
【００５３】
図４を参照すれば、外部デバイス２０００は、スマートＴＶでもあり、外部デバイス２０００の画面の一部分に、アクセスポイント３０００を介して、デバイス１０００と連結されるための案内情報をディスプレイすることができる。案内情報は、別途のポップアップ・ウインドーを介して表示されもするが、それに制限されるものではない。
【００５４】
図５は、本発明の他の実施形態による、暗証番号を外部デバイス２０００の画面に表示するための案内情報がデバイス１０００の画面に表示され、デバイス１０００に所定の暗証番号が入力される一例を図示した図面である。図５では、外部デバイス２０００に接続するための暗証番号値がデバイス１０００に伝送されない。
【００５５】
図５を参照すれば、外部デバイス２０００は、スマートＴＶでもあり、デバイス１０００は、スマートフォンでもある。外部デバイス２０００は、ネットワーク連結のために、機器情報及び暗証番号情報をデバイス１０００に伝送することができる。暗証番号情報は、外部デバイス２０００に対する接続のための暗証番号を確認するための情報を含んでもよい。
【００５６】
デバイス１０００は、機器情報及び暗証番号情報を受信し、ネットワーク連結のためのユーザ入力を受信するためのボタン５０を、デバイス１０００の画面に表示することができる。
【００５７】
また、ボタン５０が選択されれば、デバイス１０００は、暗証番号入力のためのユーザ・インターフェース５２を画面に表示することができ、暗証番号情報に基づいて、ユーザが暗証番号を確認するための方法に係わる案内情報を、ユーザ・インターフェース５２内に表示することができる。デバイス１０００は、例えば、「ＴＶリモコンメニューボタン→設定→ＰＷ（password）確認」のような案内情報を画面に表示することができる。
【００５８】
その後、ユーザが案内情報により、外部デバイス２０００のリモコン４０００の所定のボタンを押せば、外部デバイス２０００の画面に、暗証番号が表示され、ユーザによって、正しい暗証番号がデバイス１０００に入力されれば、デバイス１０００及び外部デバイス２０００は、アクセスポイント３０００を介して互いに連結される。
その後、デバイス１０００は、外部デバイス２０００との通信連結を、デバイス１０００の画面に表示することができる。
【００５９】
図６は、本発明の他の実施形態による、暗証番号確認するための案内情報がデバイス１０００の画面に表示され、デバイス１０００に所定の暗証番号が入力される一例を図示した図面である。
【００６０】
図６を参照すれば、外部デバイス２０００は、清掃機でもあり、デバイス１０００は、スマートフォンでもある。また、外部デバイス２０００は、ネットワーク連結のために機器情報及び暗証番号情報をデバイス１０００に伝送することができる。暗証番号は、例えば、外部デバイス２０００の下端に表示される。暗証番号は、あらかじめ設定された所定の数字でもあるが、それに制限されるものではなく、外部デバイス２０００のモデル名でもある。また、暗証番号情報は、外部デバイス２０００に対する接続のための暗証番号を確認するための情報を含んでもよい。
【００６１】
また、デバイス１０００は、機器情報及び暗証番号情報を受信し、ネットワーク連結のためのユーザ入力を受信するためのボタン６０を、デバイス１０００の画面に表示することができる。また、ボタン６０が選択されれば、デバイス１０００は、暗証番号入力のためのユーザ・インターフェース６２を画面に表示することができ、暗証番号情報に基づいて、ユーザが暗証番号を確認するための方法に係わる案内情報を、ユーザ・インターフェース６２内に表示することができる。デバイス１０００は、例えば、「ロボット清掃機下端で、接続暗証番号４桁を確認し、下に入力してください」というような案内情報を画面に表示することができる。
【００６２】
その後、ユーザが案内情報によって、正しい暗証番号をデバイス１０００に入力すれば、デバイス１０００及び外部デバイス２０００は、アクセスポイント３０００を介して互いに連結される。その後、デバイス１０００は、外部デバイス２０００との通信連結を、デバイス１０００の画面に表示することができる。
【００６３】
図７は、本発明の他の実施形態による、Ｗｉ−Ｆｉネットワークを利用した通信連結方法のフローチャートである。図７では、外部デバイス２０００のリモコン４０００の画面に所定の暗証番号が表示される。
【００６４】
段階Ｓ７００で、外部デバイス２０００は、ＡＰモードで動作する外部デバイス２０００に接続するための暗証番号を、リモコン４０００に伝送する。外部デバイス２０００は、例えば、ＲＦ（radio frequency）通信、ＮＦＣ（near field communication）通信、ブルートゥース通信及びＷｉ−Ｆｉ通信のうち少なくとも一つを介して、リモコン４０００に暗証番号を伝送することができるが、それに制限されるものではない。
【００６５】
段階Ｓ７０２で、外部デバイス２０００は、ネットワーキング・モードをＡＰモードに変更する。ネットワーキング・モードは、Ｗｉ−Ｆｉネットワーク環境で、アクセスポイントとして動作するためのＡＰモード、及びクライアントとして動作するためのクライアント・モードを含んでもよい。外部デバイス２０００は、デバイス１０００と接続するためにネットワーキング・モードを、クライアント・モードからＡＰモードに変更することができる。
【００６６】
段階Ｓ７０４で、外部デバイス２０００は、外部デバイス２０００の機器情報をデバイス１０００に伝送する。外部デバイス２０００は、例えば、外部デバイス２０００のＳＳＩＤ、ＭＡＣアドレス、デバイス種類に係わる情報を、デバイス１０００にブロードキャスティングすることができる。また、外部デバイス２０００は、機器情報をデバイス１０００に伝送し、デバイス１０００からの連結情報の受信を既設定の時間待機することができる。既設定の時間以内に、デバイス１０００から連結情報が受信されれば、外部デバイス２０００は、アクセスポイント３０００と接続を試みることができる。また、既設定の時間以内、デバイス１０００から連結情報が受信されず、外部デバイス２０００は、ＡＰモードを終了し、連結情報が受信されていないということを知らせるお知らせ情報を出力することができるが、それに制限されるものではない。
【００６７】
段階Ｓ７０６で、外部デバイス２０００は、ＡＰモードで動作する外部デバイス２０００に接続するための暗証番号に係わる暗証番号情報をデバイス１０００に伝送する。外部デバイス２０００は、デバイス１０００との接続のための暗証番号に係わる暗証番号情報を、デバイス１０００にブロードキャスティングすることができる。暗証番号情報は、例えば、暗証番号値、及び暗証番号値を確認するための案内情報を含んでもよいが、それらに制限されるものではない。また、暗証番号値を確認するための案内情報は、ユーザがリモコン４０００を介して暗証番号値を確認するのに必要な案内情報を含んでもよいが、それに制限されるものではない。暗証番号値を確認するための案内情報は、例えば、リモコン４０００に含まれた所定のボタンが押されれば、リモコン４０００の画面に暗証番号が表示されるということを知らせる文言を含んでもよい。
【００６８】
段階Ｓ７０８で、デバイス１０００は、リモコン４０００に暗証番号の表示を要請する。デバイス１０００は、暗証番号確認のための案内情報を画面に表示することができ、案内情報によるユーザ入力に基づいて、リモコン４０００に暗証番号の表示を要請することができる。
【００６９】
段階Ｓ７１０で、リモコン４０００は、リモコン４０００の画面に暗証番号を表示する。リモコン４０００は、段階Ｓ７００で、外部デバイス２０００から受信された暗証番号を画面に表示することができる。
【００７０】
一方、段階Ｓ７０８でのデバイス１０００による暗証番号表示の要請なしに、リモコン４０００に暗証番号が表示されもする。例えば、リモコン４０００の所定のボタンがユーザによって選択されれば、リモコン４０００の画面に暗証番号が表示される。また、例えば、別途のユーザ入力なしに、リモコン４０００の画面に、所定時間暗証番号が表示されもする。
段階Ｓ７１２ないし段階Ｓ７２８は、段階Ｓ２０６ないし段階Ｓ２２２に対応するので、段階段階Ｓ７１２ないし段階Ｓ７２８に係わる説明は、便宜上省略する。
【００７１】
図８は、本発明の他の実施形態による、外部デバイス２０００のリモコン４０００の画面に暗証番号が表示され、デバイス１０００に暗証番号が入力される一例を図示した図面である。図８では、外部デバイス２０００に接続するための暗証番号値が、リモコン４０００に表示される。
【００７２】
図８を参照すれば、外部デバイス２０００は、エアコンでもあり、デバイス１０００は、スマートフォンでもある。外部デバイス２０００は、ネットワーク連結のために、機器情報及び暗証番号情報をデバイス１０００に伝送することができる。暗証番号情報は、外部デバイス２０００に係わる接続のための暗証番号を確認するための情報を含んでもよい。
【００７３】
デバイス１０００は、機器情報及び暗証番号情報を受信し、ネットワーク連結のためのユーザ入力を受信するためのボタン８０を、デバイス１０００の画面に表示することができる。
【００７４】
また、ボタン８０が選択されれば、デバイス１０００は、暗証番号入力のためのユーザ・インターフェース８２を画面に表示することができ、暗証番号情報に基づいて、ユーザが暗証番号を確認するための方法に係わる案内情報を、ユーザ・インターフェース８２内に表示することができる。デバイス１０００は、例えば、リモコン４０００の所定のボタンが押されれば、リモコン４０００の画面に所定の暗証番号が表示されることを知らせる案内情報を画面に表示することができる。
【００７５】
その後、ユーザが案内情報によって、外部デバイス２０００のリモコン４０００の所定のボタンを押せば、リモコン４０００の画面に暗証番号が表示され、ユーザによって、正しい暗証番号がデバイス１０００に入力されれば、デバイス１０００及び外部デバイス２０００は、アクセスポイント３０００を介して互いに連結される。
その後、デバイス１０００は、外部デバイス２０００との通信連結を、デバイス１０００の画面に表示することができる。
【００７６】
図９は、本発明の一実施形態によるデバイス１０００のブロック図である。
図９に図示されているように、本発明の一実施形態によるデバイス１０００は、情報獲得部１１００、ユーザ入力部１２００、接続部１３００、連結情報提供部１４００、ディスプレイ部１５００、ＤＢ（database）１６００、送受信部１７００及び制御部１８００を含む。
【００７７】
情報獲得部１１００は、外部デバイス２０００から、外部デバイス２０００の機器情報及び暗証番号情報を受信する。外部デバイス２０００は、機器情報及び暗証番号情報をブロードキャスティングすることができ、情報獲得部１１００は、ブロードキャスティングされた機器情報及び暗証番号情報を受信することができる。機器情報は、例えば、外部デバイス２０００のＳＳＩＤ、ＭＡＣアドレス、デバイス種類に係わる情報を含んでもよい。また、暗証番号情報は、例えば、暗証番号値、及び暗証番号値を確認するための案内情報を含んでもよい。
【００７８】
ユーザ入力部１２００は、デバイス１０００に係わるユーザ入力を受信する。ユーザ入力部１２００は、外部デバイス２０００との接続のための暗証番号の入力を受信することができる。
【００７９】
外部デバイス２０００との接続のための暗証番号は、外部デバイス２０００の画面に表示され、ユーザは、外部デバイス２０００の画面に表示された暗証番号を、デバイス１０００に入力することができる。その場合、外部デバイス２０００の画面に暗証番号を表示するための方法に係わる案内情報が、デバイス１０００の画面に表示される。例えば、外部デバイス２０００のリモコン４０００の所定のボタンが押されれば、外部デバイス２０００に暗証番号が表示されるという案内情報がデバイス１０００に表示される。
【００８０】
また、外部デバイス２０００との接続のための暗証番号は、外部デバイス２０００の製造時、外部デバイス２０００の外観に表示される。その場合、外部デバイス２０００の外観に表示された暗証番号を確認するための案内情報が、デバイス１０００に表示される。
【００８１】
接続部１３００は、外部デバイス２０００及びアクセスポイント３０００と接続したり、あるいは接続を終了する。外部デバイス２０００から機器情報が受信されることにより、接続部１３００は、アクセスポイント３０００との接続を中断することができる。接続部１３００は、ユーザから入力された暗証番号が、外部デバイス２０００から受信された暗証番号と一致すれば、アクセスポイント３０００との接続を中断することができるが、それに制限されるものではない。
【００８２】
また、接続部１３００は、アクセスポイント３０００に係わる連結情報を、後述するＤＢ １６００に保存することができる。アクセスポイント３０００に係わる連結情報は、Ｗｉ−Ｆｉネットワーク上で、アクセスポイント３０００に接続するために必要な各種の情報を含んでもよい。
【００８３】
また、接続部１３００は、ユーザから入力された暗証番号を、外部デバイス２０００から受信された暗証番号と比較することにより、外部デバイス２０００に接続するか否かを決定することができる。しかし、それに制限されるものではなく、接続部１３００が入力された暗証番号を、外部デバイス２０００に提供し、外部デバイス２０００がデバイス１０００との接続を許容するか否かを決定するようにすることもできる。
【００８４】
また、接続部１３００は、外部デバイス２０００から受信された機器情報に基づいて、外部デバイス２０００に接続することができる。接続部１３００は、外部デバイス２０００のＳＳＩＤ及びＭＡＣアドレスに基づいて、ＡＰモードで動作する外部デバイス２０００に接続することができ、外部デバイス２０００に接続するために、ユーザ入力部１２００で受信された暗証番号を、外部デバイス２０００に伝送することができる。
【００８５】
また、接続部１３００は、外部デバイス２０００との接続を終了することができる。接続部１３００は、外部デバイス２０００から、外部デバイス２０００がアクセスポイントに接続されたことを知らせるお知らせ情報を受信し、外部デバイス２０００がアクセスポイントに接続されたことを確認した後、外部デバイス２０００との接続を終了することができる。しかし、それに制限されるものではない。
【００８６】
また、接続部１３００は、アクセスポイント３０００に再接続することができる。接続部１３００は、ＤＢ １６００に保存されたアクセスポイント３０００に係わる連結情報に基づいて、アクセスポイント３０００に再接続することができる。
【００８７】
連結情報提供部１４００は、外部デバイス２０００に連結情報を提供する。連結情報提供部１４００は、ＤＢ １６００に保存されたアクセスポイントに係わる連結情報を、接続された外部デバイス２０００に提供することができる。外部デバイス２０００は、デバイス１０００が外部デバイス２０００に接続されれば、デバイス１０００にアクセスポイント３０００に係わる連結情報を要請することができ、連結情報提供部１４００は、外部デバイス２０００からの要請に応答し、ＤＢ １６００に保存された連結情報を外部デバイス２０００に伝送することができる。
【００８８】
ディスプレイ部１５００は、アクセスポイント３０００を介して、外部デバイス２０００と通信連結を行うための案内情報をディスプレイする。外部デバイス２０００から、機器情報を含むネットワーク連結要請が受信されれば、ディスプレイ部１５００は、ネットワーク連結のためのユーザ入力を受信するためのボタンをディスプレイすることができる。ディスプレイ部１５００は、暗証番号入力のためのユーザ・インターフェースをディスプレイすることができる。また、ディスプレイ部１５００は、外部デバイス２０００から受信された暗証番号情報に基づいて、ユーザが暗証番号を確認するための方法に係わる案内情報を、ユーザ・インターフェース内に表示することができる。
【００８９】
ＤＢ １６００は、デバイス１０００がアクセスポイント３０００との連結を中断し、外部デバイス２０００に接続し、外部デバイス２０００に、アクセスポイント３０００に係わる連結情報を伝送し、アクセスポイント３０００に再接続するために必要な各種情報を保存する。
【００９０】
送受信部１７００は、デバイス１０００が、アクセスポイント３０００との連結を中断し、外部デバイス２０００に接続し、外部デバイス２０００にアクセスポイント３０００に係わる連結情報を伝送し、アクセスポイント３０００に再接続するために必要な各種情報を送受信する。
【００９１】
制御部１８００は、デバイス１０００の全体動作を制御し、デバイス１０００が、アクセスポイント３０００との連結を中断し、外部デバイス２０００に接続し、外部デバイス２０００に、アクセスポイント３０００に係わる連結情報を伝送し、アクセスポイント３０００に再接続することができるように、情報獲得部１１００、ユーザ入力部１２００、接続部１３００、連結情報提供部１４００、ディスプレイ部１５００、ＤＢ １６００及び送受信部１７００を制御する。
【００９２】
情報獲得部１１００、ユーザ入力部１２００、接続部１３００、連結情報提供部１４００、ディスプレイ部１５００、送受信部１７００及び制御部１８００のうち一部または全部は、ソフトウェア・モジュールによって動作することができるが、それに制限されるものではない。また、情報獲得部１１００、ユーザ入力部１２００、接続部１３００、連結情報提供部１４００、ディスプレイ部１５００、送受信部１７００及び制御部１８００のうち一部は、ハードウェアによって動作することもできる。
【００９３】
また、情報獲得部１１００、ユーザ入力部１２００、接続部１３００、連結情報提供部１４００、ディスプレイ部１５００及び送受信部１７００のうち少なくとも一部は、制御部１８００に含まれ、情報獲得部１１００、ユーザ入力部１２００、接続部１３００、連結情報提供部１４００、ディスプレイ部１５００及び送受信部１７００のうち少なくとも一部、及び制御部１８００は、１つのプロセッサによって動作される。しかし、それらに制限されるものではない。
【００９４】
図１０は、本発明の他の実施形態によるデバイス１０００のブロック図である。
移動通信部１００１は、３Ｇ（3rd generation）／４Ｇ（4th generation）のようなセルラ・ネットワークを介して、基地局とのコール（call）設定、データ通信などを遂行する。サブ通信部１００２は、ブルートゥースやＮＦＣのような近距離通信のための機能を遂行する。放送部１００３は、ＤＭＢ（digital multimedia broadcasting）放送信号を受信する。
カメラ部１００４は、写真や動画を撮影するためのレンズ及び光学素子を含む。
【００９５】
センサ部１００５は、デバイス１０００の動きを感知する重力センサ、光の明るさを感知する照度センサ、人物の近接度を感知する近接センサ、人物の動きを感知するモーションセンサなどを含んでもよい。
【００９６】
ＧＰＳ（global positioning system）受信部１００６は、人工衛星からＧＰＳ信号を受信する。かようなＧＰＳ信号を利用して、多様なサービスがユーザに提供される。
【００９７】
入出力部１０１０は、外部機器や人とのインターフェースを提供し、ボタン１０１１、マイク１０１２、スピーカ１０１３、振動モータ１０１４、コネクタ１０１５、キーパッド１０１６を含む。
【００９８】
タッチスクリーン１０１８は、ユーザのタッチ入力を受信する。タッチスクリーン・コントローラ１０１７は、タッチスクリーン１０１８を介して入力されたタッチ入力を、制御部１０５０に伝達する。電源供給部１０１９は、デバイス１０００に必要な電力を供給するために、バッテリまたは外部電源ソースと連結される。
制御部１０５０は、メモリ１０６０に保存されたプログラムを実行することにより、本発明によって、無線ランリンクを形成する。
【００９９】
メモリ１０６０に保存されたプログラムは、その機能によって複数個のモジュールに分類することができるが、移動通信モジュール１０６１、Ｗｉ−Ｆｉモジュール１０６２、ブルートゥース・モジュール１０６３、ＤＭＢモジュール１０６２、カメラ・モジュール１０６５、センサ・モジュール１０６６、ＧＰＳモジュール１０６７、動画再生モジュール１０６８、オーディオ再生モジュール１０６９、電源モジュール１０７０、タッチスクリーン・モジュール１０７１、ＵＩ（user interface）モジュール１０７２、アプリケーション・モジュール１０７３などに分類される。
【０１００】
各モジュールの機能は、その名称から当業者が直観的に推論することができるので、ここでは、アプリケーション・モジュール１０７３についてのみ説明する。アプリケーション・モジュール１０７３は、デバイス１０００が、アクセスポイント３０００との連結を中断し、外部デバイス２０００に接続し、外部デバイス２０００に、アクセスポイント３０００に係わる連結情報を伝送し、アクセスポイント３０００に再接続させることができる。
【０１０１】
アプリケーション・モジュール１０７３は、外部デバイス２０００から、外部デバイス２０００の機器情報及び暗証番号情報を受信する。アプリケーション・モジュール１０７３は、Ｗｉ−Ｆｉモジュール１０６２及びブルートゥース・モジュール１０６３のうち少なくとも一つを利用して、機器情報及び暗証番号情報を受信することができるが、それに制限されるものではない。
また、アプリケーション・モジュール１０７３は、入出力部１０１０及びタッチスクリーン１０１８を介したユーザ入力を受信する。
【０１０２】
また、アプリケーション・モジュール１０７３は、外部デバイス２０００及びアクセスポイント３０００と接続したり、あるいは接続を終了する。外部デバイス２０００から機器情報が受信されることにより、アプリケーション・モジュール１０７３は、Ｗｉ−Ｆｉモジュール１０６２を利用して、アクセスポイント３０００との接続を中断することができる。アプリケーション・モジュール１０７３は、ユーザから入力された暗証番号が、外部デバイス２０００から受信された暗証番号と一致すれば、アクセスポイント３０００との接続を中断することができるが、それに制限されるものではない。
【０１０３】
また、アプリケーション・モジュール１０７３は、アクセスポイント３０００に係わる連結情報を、メモリ１０６０に保存することができる。また、アプリケーション・モジュール１０７３は、ユーザから入力された暗証番号を、外部デバイス２０００から受信された暗証番号と比較することにより、外部デバイス２０００に接続するか否かを決定することができる。しかし、それに制限されるものではなく、アプリケーション・モジュール１０７３が、入力された暗証番号を外部デバイス２０００に提供し、外部デバイス２０００が、デバイス１０００との接続を許容するか否かを決定するようにすることもできる。
【０１０４】
また、アプリケーション・モジュール１０７３は、Ｗｉ−Ｆｉモジュール１０６２を利用して、外部デバイス２０００に接続することができる。アプリケーション・モジュール１０７３は、外部デバイス２０００のＳＳＩＤ及びＭＡＣアドレスに基づいて、ＡＰモードで動作する外部デバイス２０００に接続することができる。
【０１０５】
また、アプリケーション・モジュール１０７３は、Ｗｉ−Ｆｉモジュール１０６２を利用して、外部デバイス２０００との接続を終了することができ、デバイス１０００をアクセスポイント３０００に再接続することができる。
【０１０６】
また、アプリケーション・モジュール１０７３は、メモリ１０６０に保存された、アクセスポイントに係わる連結情報を、Ｗｉ−Ｆｉモジュール１０６２を介して、外部デバイス２０００に提供することができる。
【０１０７】
また、アプリケーション・モジュール１０７３は、アクセスポイント３０００を介して、外部デバイス２０００と通信連結を行うための案内情報を、タッチスクリーン１０１８にディスプレイすることができる。
【０１０８】
図１１は、本発明の一実施形態による外部デバイス２０００のブロック図である。
図１１に図示されているように、本発明の一実施形態による外部デバイス２０００は、接続部２１００、情報提供部２２００、ユーザ入力部２３００、ディスプレイ部２４００、ＤＢ ２５００、送受信部２６００及び制御部２７００を含む。
【０１０９】
接続部２１００は、外部デバイス２０００のネットワーキング・モードを変更し、デバイス１０００及びアクセスポイント３０００のうち少なくとも一つと接続する。接続部２１００は、外部デバイス２０００が、デバイス１０００と接続するように、外部デバイス２０００のネットワーキング・モードを、ＡＰモードに変更することができる。また、接続部２１００は、デバイス１０００からの接続要請に応答し、デバイス１０００と接続することができる。接続部２１００は、デバイス１０００から正しい暗証番号が受信されれば、デバイス１０００と接続することができるが、それに制限されるものではない。
【０１１０】
また、接続部２１００は、デバイス１０００から、アクセスポイント３０００に係わる連結情報を受信し、受信された連結情報を利用して、アクセスポイント３０００に接続することができる。連結情報が受信されれば、接続部２１００は、デバイス１０００との接続を終了し、外部デバイス２０００のネットワーキング・モードをクライアント・モードに変更することができる。また、接続部２１００は、連結情報を利用して、アクセスポイント３０００に接続することができる。
【０１１１】
情報提供部２２００は、デバイス１０００に機器情報及び暗証番号情報を提供する。デバイス１０００に提供された機器情報及び暗証番号情報は、デバイス１０００が外部デバイス２０００と接続するのに利用される。
【０１１２】
また、情報提供部２２００は、外部デバイス２０００に接続するための暗証番号をリモコン４０００に提供することができる。リモコン４０００に提供された暗証番号は、リモコン４０００の画面に表示され、ユーザは、リモコン４０００の画面に表示された暗証番号を確認し、デバイス１０００に所定の暗証番号を入力することができる。
ユーザ入力部２３００は、外部デバイス２０００に係わるユーザ入力を受信する。
【０１１３】
ディスプレイ部２４００は、ネットワーク連結のための案内情報及び暗証番号をディスプレイする。ディスプレイ部２４００は、ユーザが、デバイス１０００及び外部デバイス２０００を、アクセスポイント３０００を介して、通信連結するように、所定の案内情報をディスプレイすることができる。また、ディスプレイ部２４００は、所定のユーザ入力に応答し、外部デバイス２０００との連結のための暗証番号をディスプレイすることができる。
【０１１４】
ＤＢ ２５００は、外部デバイス２０００がデバイス１０００と接続し、デバイス１０００からアクセスポイント３０００に係わる連結情報を受信し、アクセスポイントに接続するのに必要な各種の情報を保存する。
【０１１５】
送受信部２６００は、外部デバイス２０００がデバイス１０００と接続し、デバイス１０００から、アクセスポイント３０００に係わる連結情報を受信し、アクセスポイントに接続するのに必要な各種の情報を送受信する。
【０１１６】
制御部２７００は、外部デバイス２０００がデバイス１０００と接続し、デバイス１０００から、アクセスポイント３０００に係わる連結情報を受信し、アクセスポイントに接続するように、接続部２１００、情報提供部２２００、ユーザ入力部２３００、ディスプレイ部２４００、ＤＢ ２５００及び送受信部２６００を制御する。
【０１１７】
接続部２１００、情報提供部２２００、ユーザ入力部２３００、ディスプレイ部２４００、送受信部２６００及び制御部２７００のうち一部または全部は、ソフトウェア・モジュールによって動作することができるが、それに制限されるものではない。また、接続部２１００、情報提供部２２００、ユーザ入力部２３００、ディスプレイ部２４００、送受信部２６００及び制御部２７００のうち一部がハードウェアによって動作することも可能である。
【０１１８】
また、接続部２１００、情報提供部２２００、ユーザ入力部２３００、ディスプレイ部２４００、送受信部２６００のうち少なくとも一部は、制御部２７００に含まれ、接続部２１００、情報提供部２２００、ユーザ入力部２３００、ディスプレイ部２４００、送受信部２６００のうち少なくとも一部及び制御部２７００は、１つのプロセッサによって動作されもするが、それらに制限されるものではない。
【０１１９】
本発明の一実施形態は、コンピュータによって実行されるプログラム・モジュールのようなコンピュータによって実行可能な命令語を含む記録媒体の形態でも具現される。コンピュータ判読可能媒体は、コンピュータによってアクセスされる任意の可溶媒体でもあり、揮発性及び不揮発性の媒体、分離型及び非分離型の媒体をいずれも含む。また、コンピュータ判読可能媒体は、コンピュータ記録媒体及び通信媒体をいずれも含んでもよい。コンピュータ記録媒体は、コンピュータ判読可能命令語、データ構造、プログラム・モジュール、またはその他データのような情報の保存のための任意の方法または技術で具現された揮発性及び不揮発性、分離型及び非分離型の媒体をいずれも含む。通信媒体は、典型的に、コンピュータ判読可能命令語、データ構造、プログラム・モジュールまたは搬送波のような変調されたデータ信号のその他データ、またはその他伝送メカニズムを含み、任意の情報伝達媒体を含む。
【０１２０】
前述の本発明の説明は、例示のためのものであり、本発明が属する技術分野の当業者であるならば、本発明の技術的思想や必須な特徴を変更せずにも、他の具体的な形態で容易に変形が可能であるということを理解することができるであろう。従って、以上で記述した実施形態は、全ての面で例示的なものであり、限定的ではないということを理解しなければならないであろう。例えば、単一型で説明されている各構成要素は、分散して実施されもし、同様に分散されていると説明されている構成要素も、結合された形態で実施されもする。
【０１２１】
本発明の範囲は、前記詳細な説明よりは、特許請求の範囲によって示され、特許請求の範囲の意味、範囲及びその均等概念から導み出される全ての変更または変形された形態は、本発明の範囲に含まれるものであると解釈されなければならない。
【産業上の利用可能性】
【０１２２】
本発明のＷｉ−Ｆｉネットワークを利用したデバイス連結システム及びその方法は、例えば、ネットワーク関連の技術分野に効果的に適用可能である。
【符号の説明】
【０１２３】
３０，６０，８０    ボタン
３２，６２，８２    ユーザ・インターフェース
１０００    デバイス
１０１０    入出力部
１０５０，１８００，２７００    制御部
１０６０    メモリ
１１００    情報獲得部
１２００，２３００    ユーザ入力部
１３００，２１００    接続部
１４００    連結情報提供部
１５００，２４００    ディスプレイ部
１６００，２５００    ＤＢ 
１７００，２６００    送受信部
２０００    外部デバイス
２２００    情報提供部
３０００    アクセスポイント
４０００    リモコン
【図１】
2014093781.tif 000003
【図２】
2014093781.tif 000004
【図３】
2014093781.tif 000005
【図４】
2014093781.tif 000006
【図５】
2014093781.tif 000007
【図６】
2014093781.tif 000008
【図７】
2014093781.tif 000009
【図８】
2014093781.tif 000010
【図９】
2014093781.tif 000011
【図１０】
2014093781.tif 000012
【図１１】
2014093781.tif 000013